(57)【特許請求の範囲】
【請求項１】
入射光を複数色に分解する複数の色分解プリズムと、これら色分解プリズムの各出射面にそれぞれ設けられた複数の固体撮像素子からなる色分解光学系において、上記色分解プリズムの入射面及び出射面の少なくとも一方の角部をＣカットしたことを特徴とする色分解光学系。
【請求項２】
色分解プリズムの入射面及び出射面に入れるＣカットの量を異ならせたことを特徴とする請求項１記載の色分解光学系。
【請求項３】
Ｂｃｈ撮像素子の色分解プリズムの入射面に入れるＣカットの量をもっとも多くしたことを特徴とする請求項１記載の色分解光学系。
【発明の詳細な説明】
【０００１】
【発明の属する技術分野】
この発明は主としてカラーテレビカメラに使用する色分解光学系に関する。
【０００２】
【従来の技術】
従来カラーテレビカメラには、入射光を複数色に分解する複数のプリズムと、各プリズムにより分解された光を受光する複数の固体撮像素子からなる色分解光学系が使用されており、固体撮像素子としては、例えば特開平５−３７４９３号公報に記載されたものが公知となっている。
【０００３】
上記公報の固体撮像素子は、図４に示すように内面にＣＣＤａが接着されたセラミックパッケージｂを、透明ガラスｃで封止してＣＣＤユニットｄを形成し、このＣＣＤユニットｄの両側に２個のガラスブロックｅを接着層ｆで接着すると共に、ガラスブロックｅの下面を、プリズムｇに接着された色フィルタｈ上面との間には空気層ｊが形成されている。
【０００４】
【発明が解決しようとする課題】
上記従来の固体撮像素子では、プリズムｇの出射面に２個のガラスブロックｅを接着して、これらガラスブロックｅの間にＣＣＤユニットｄを設けた構造を採用していることから、ガラスブロックｅの接着面を確保するため、プリズムｇの長方形をなす出射面全面を使用している。
【０００５】
しかし長方形状をなす出射面の全面を使用する従来の色分解光学系の場合、色分解光学系を円筒状の筐体内に収容しようとすると、プリズムｇの入射面の対角線の距離に等しいか、それ以上の直径を有する筐体が必要となり、カラーテレビカメラの小型化が図れないなどの不具合がある。
【０００６】
この発明はかかる従来の不具合を改善するためになされたもので、カラーテレビカメラの小型化が可能な色分解光学系を提供することを目的とするものである。
【０００７】
【課題を解決するための手段】
この発明は上記目的を達成するため、色分解光学系を構成する色分解プリズムの入射面及び出射面の少なくとも一方の角部をＣカットしたもので、これによって色分解プリズムの角部が筐体と干渉することがなくなるため、小径な筐体に収容することができ、これによってカラーテレビカメラの小型化が図れるようになる。
【０００８】
【発明の実施の形態】
この発明の請求項１に記載の発明は、入射光を複数色に分解する複数の色分解プリズムと、これら色分解プリズムの各出射面にそれぞれ設けられた複数の固体撮像素子からなる色分解光学系において、上記色分解プリズムの入射面及び出射面の少なくとも一方の角部をＣカットしたものである。
【０００９】
上記構成により、色分解光学系を円筒状の筐体内に収容する際、色分解プリズムの角部が筐体と干渉することがないので、小径な筐体内に容易に収容でき、これによってカラーテレビカメラの小型化が図れるようになる。
【００１０】
この発明の請求項２に記載の発明は、色分解プリズムの入射面及び出射面に入れるＣカットの量を異ならせたものである。
【００１１】
上記構成により、色分解プリズムの角部と筐体との干渉個所がより少なくなるため、筐体をより小径にすることができる。
【００１２】
この発明の請求項３に記載の発明は、Ｂｃｈ撮像素子の色分解プリズムの入射面に入れるＣカットの量をもっとも多くしたものである。
【００１３】
上記構成により、もっとも前方に位置するＢｃｈ固体撮像素子の色分解プリズムのＣカット量が多いことから、小径な筐体内に容易に収容することができる。
【００１４】
以下この発明の実施の形態を図１ないし図３に示す図面を参照して詳述する。
【００１５】
図１は複数、例えば３個の色分解プリズムと、３個の固体撮像素子により構成された色分解光学系の正面図、図２は同側面図、図３は同平面図である。
【００１６】
これら図において１は、入射光の赤成分（Ｒｃｈ）を受光する固体撮像素子、２は緑成分（Ｇｃｈ）を受光する固体撮像素子、３は青成分（Ｂｃｈ）を受光する固体撮像素子で、それぞれ色分解プリズム４、５、６の出射面４ｃ、５ｃ、６ｃに取付けられている。
【００１７】
上記各固体撮像素子１、２、３のうち、Ｂｃｈ固体撮像素子３の色分解プリズム６は、図示しない撮像レンズの後方に入射面６ａを前方に向けて配置されており、このＢｃｈ固体撮像素子３の色分解プリズム５の反射面５ｂに、Ｒｃｈ固体撮像素子１の色分解プリズム４の入射面４ａが接着されている。
【００１８】
またこれらの接着面には、図１に示すような角枠状のスペーサ７が介在されていて、色分解プリズム５の反射面５ｂと色分解プリズム４の入射面４ａの間にエアギャップ８が形成されていると共に、Ｒｃｈ固体撮像素子１の色分解プリズム４の反射面４ｂに、Ｇｃｈ固体撮像素子２の色分解プリズム５の入射面５ａが接着されている。
【００１９】
一方Ｂｃｈ固体撮像素子３は、色分解プリズム６の出射面６ｃに接着された色フィルタ１ａにＣＣＤ１ｂが精度よく接着されていて、ＣＣＤ１ｂが湿気などで劣化するのを防止するため、ＣＣＤ１ｂ全体がモールド樹脂１ｃにより封止されており、従来のように出射面６ｃにガラスブロックを接着する必要がないことから、Ｂｃｈ固体撮像素子３の色分解プリズム６の出射面６ｃ全面を使用する必要がなくなる。
【００２０】
これによって入射光の側面でケラレが発生しない位置、すなわちＢｃｈ固体撮像素子３の色分解プリズム６の下側角部を幅６1 、６2 に亘ってＣカットすることができる。
【００２１】
またＲｃｈ固体撮像素子１の色分解プリズム４の入射面４ａと、Ｂｃｈ固体撮像素子３の色分解プリズム６の反射面６ｂにスペーサ７を設けたことによって、Ｒｃｈ固体撮像素子１の色分解プリズム４の出射面４ｃで、固体撮像素子１の接着に使用しない部分について、幅４1 で角部をＣカットすることができる。
【００２２】
以上のようにして色分解プリズム４、６の角部をＣカットしても、色分解光学系に入射する光線の水平方向の最大入射光範囲はＨ、垂直方向の最大入射光範囲範囲はＶであることから、これらの範囲に対して十分な余裕があり、その結果入射光にケラレが発生することがない。
【００２３】
なお上記実施の形態では、色分解プリズム４、６の複数個所をＣカットしたが、１個所のみでも勿論よい。
【００２４】
【発明の効果】
この発明は以上詳述したように、色分解光学系を構成する色分解プリズムの入射面及び出射面の少なくとも一方の角部をＣカットとして、色分解光学系を円筒状の筐体内に収容する際、角部が筐体と干渉しないようにしたことから、小径な筐体内にも容易に収容でき、これによってカラーテレビカメラの小型化が図れるようになる。
【００２５】
また入射光の水平方向及び垂直方向の最大入射光範囲に対して十分な余裕をもって色分解プリズムの角部をＣカットしたことから、入射光にケラレが発生することもない。
【図面の簡単な説明】
【図１】この発明の実施の形態になる色分解光学系の正面図
【図２】この発明の実施の形態になる色分解光学系の側面図
【図３】この発明の実施の形態になる色分解光学系の平面図
【図４】従来の色分解光学系の説明図
【符号の説明】
１    Ｒｃｈ固体撮像素子
１ａ  色フィルタ
１ｂ  ＣＣＤ
１ｃ  モールド樹脂
２    Ｇｃｈ固体撮像素子
３    Ｂｃｈ固体撮像素子
４    色分解プリズム
４ａ  入射面
４ｂ  反射面
４ｃ  出射面
５    色分解プリズム
５ａ  入射面
５ｃ  出射面
６    色分解プリズム
６ａ  入射面
６ｂ  反射面
６ｃ  出射面
７    スペーサ
８    エアギャップ
Ｈ    入射光線の水平方向の最大入射光範囲
Ｖ    入射光線の垂直方向の最大入射光範囲
【図１】
0004044683.tif 000002
【図２】
0004044683.tif 000003
【図３】
0004044683.tif 000004
【図４】
0004044683.tif 000005